(57)【要約】【課題】長手方向の寸法の調整の自由度を高めた縁石兼排水溝ユニットを提供する。【解決手段】縁石兼排水溝ユニット１０は、複数の水路部形成部材１１Ａ，１１Ｂにより形成される水路部１１と、水路部形成部材１１Ａ，１１Ｂにそれぞれ取り付けられる複数のカバー部形成部材１２Ａ，１２Ｂにより形成されるカバー部１２と、一対の水路部形成部材１１Ａ，１１Ｂとカバー部形成部材１２Ａ，１２Ｂとからなる複数のユニット１０Ａ，１０Ｂの間に形成される隙間を塞ぐ隙間塞ぎ部材１３とを備える。【選択図】図１
0003193405.tif 000002
【実用新案登録請求の範囲】
【請求項１】
複数の水路部形成部材により形成される水路部と、
前記水路部形成部材にそれぞれ取り付けられる複数のカバー部形成部材により形成されるカバー部と、
一対の前記水路部形成部材と前記カバー部形成部材とからなる複数のユニットの間に形成される隙間を塞ぐ隙間塞ぎ部材と、
を備える縁石兼排水溝ユニット。
【請求項２】
前記隙間塞ぎ部材の両端部は、それぞれ前記カバー部形成部材により覆われている請求項１に記載の縁石兼排水溝ユニット。
【請求項３】
前記水路部形成部材の端部に、他の前記水路部形成部材の端部をガイドするガイド部材が設けられている請求項１または２に記載の縁石兼排水溝ユニット。
【請求項４】
前記水路部形成部材は、内側に突出する突出部を有し、
前記カバー部形成部材は、前記突出部が突出する方向に対して直交する方向に延びる溝部を有し、
前記カバー部形成部材は、前記溝部に前記突出部が挿入されることにより前記水路部形成部材に固定される請求項１から３の何れか１項に記載の縁石兼排水溝ユニット。
【請求項５】
前記溝部は、前記カバー部形成部材の長手方向に沿って前記隙間塞ぎ部材側とは反対側に延びている請求項４に記載の縁石兼排水溝ユニット。
【考案の詳細な説明】
【技術分野】
【０００１】
本考案は、道路や橋梁等の路肩に、その長手方向に並べて設置される縁石兼排水溝ユニットに関する。
【背景技術】
【０００２】
例えば特許文献１に開示されているように、この種の縁石兼排水溝ユニットは、例えば道路の路肩、つまり、道路の路面と道路の幅方向両端に設けられる欄干との間に敷モルタルを介して設置される。このように路肩に設置された縁石兼排水溝ユニットは、道路の長手方向に沿って並べて設置され、排水溝として機能する。
【先行技術文献】
【特許文献】
【０００３】
【特許文献１】特開２００５−３４４３８９号公報
【考案の概要】
【考案が解決しようとする課題】
【０００４】
ところで、道路の長手方向に沿って縁石兼排水溝ユニットを設置する際には、その長手方向の寸法を調整する必要が生じる場合がある。縁石兼排水溝ユニットの長手方向の寸法を調整する従来の手法としては、一般的に、次の手法が採用されている。即ち、縁石兼排水溝ユニットを長手方向に沿って複数のユニットに分割する。そして、ユニット間の間隔を調整することにより縁石兼排水溝ユニット全体の長手方向の寸法を調節する。そして、ユニット間に形成された隙間を塞ぐ。これにより、縁石兼排水溝ユニットの長手方向の寸法を調整することができる。
【０００５】
しかし、従来の手法では、ユニット間の隙間を塞ぐ手法として、ユニットの端部を溶接により延長するという手法が採用されている。即ち、ユニット間に形成する隙間の長さに応じてユニットの長さを延長加工する手法が採用されている。そのため、ユニット間に形成する隙間の長さが異なれば、その長さに応じた溶接用の部材を用意しなければならず、従って、縁石兼排水溝ユニットの長手方向の寸法の調整の自由度が低い。
そこで、本考案は、長手方向の寸法の調整の自由度を高めた縁石兼排水溝ユニットを提供する。
【課題を解決するための手段】
【０００６】
本考案に係る縁石兼排水溝ユニットは、水路部と、カバー部と、隙間塞ぎ部材とを備える。水路部は、複数の水路部形成部材により形成される。カバー部は、水路部形成部材にそれぞれ取り付けられる複数のカバー部形成部材により形成される。隙間塞ぎ部材は、一対の水路部形成部材とカバー部形成部材とからなる複数のユニットの間に形成される隙間を塞ぐ。
【０００７】
この構成によれば、ユニットの間に形成される隙間を塞ぐための部材を、ユニットとは別体の隙間塞ぎ部材として備えたので、ユニット間に形成される隙間の長さが異なる場合であっても、その隙間を共通の隙間塞ぎ部材により塞ぐことができる。従って、ユニットの端部を溶接により延長加工することで隙間を塞いでいた従来の手法に比べ、縁石兼排水溝ユニットの長手方向の寸法の調整の自由度を高めることができる。
【図面の簡単な説明】
【０００８】
【図１】一実施形態に係る縁石兼排水溝ユニットの外観を示す斜視図
【図２】縁石兼排水溝ユニットの内部構成を示す斜視図
【図３】縁石兼排水溝ユニットの分解斜視図
【考案を実施するための形態】
【０００９】
以下、本考案の一実施形態について図面を参照しながら説明する。図１および図２に示すように、縁石兼排水溝ユニット１０は、道路の路肩に、当該道路の長手方向に沿って並べて設置されるものであり、上方へ開放する水路部１１と、この水路部１１にその開放部を閉塞すべく上方から着脱可能に取り付けられるカバー部１２とを備える。また、縁石兼排水溝ユニット１０は、さらに隙間塞ぎ部材１３を備える。
【００１０】
水路部１１は、長尺な複数の水路部形成部材１１Ａ，１１Ｂにより形成されている。水路部形成部材１１Ａ，１１Ｂは、それぞれ、道路の幅方向の内側に配置される内側面部２１と、道路の幅方向の外側に配置される外側面部２２とを備える。水路部形成部材１１Ａ，１１Ｂは、外側面部２２の高さ寸法が内側面部２１の高さ寸法よりも高くなっている。内側面部２１の高さ寸法は、図示しない路面とほぼ同じ高さとなる。水路部１１は、これら内側面部２１と外側面部２２の間の空間が、水が流れる水路となる構成である。
【００１１】
カバー部１２は、長尺な複数のカバー部形成部材１２Ａ，１２Ｂにより形成されている。カバー部形成部材１２Ａ，１２Ｂは、図示しない路面とほぼ面一となるように形成された雨水誘導面部３１と、この雨水誘導面部３１の外側の端部から上方に延びるように形成された立設面部３２とを備える。カバー部形成部材１２Ａ，１２Ｂは、雨水誘導面部３１の内側の端部が、それぞれ水路部形成部材１１Ａ，１１Ｂの内側面部２１に取り付けられ、立設面部３２の外側の端部が、それぞれ水路部形成部材１１Ａ，１１Ｂの外側面部２２に取り付けられる構成である。また、カバー部形成部材１２Ａ，１２Ｂには、雨水や空気などが通過可能な複数の孔部３３が設けられている。
【００１２】
これらカバー部形成部材１２Ａ，１２Ｂは、水路部１１を形成する水路部形成部材１１Ａ，１１Ｂに、それぞれ着脱可能に取り付けられる。そして、縁石兼排水溝ユニット１０は、水路部形成部材１１Ａとカバー部形成部材１２Ａとからなる小ユニット１０Ａと、水路部形成部材１１Ｂとカバー部形成部材１２Ｂとからなる小ユニット１０Ｂとを構成する。即ち、縁石兼排水溝ユニット１０は、一対の水路部形成部材１１Ａ，１１Ｂとカバー部形成部材１２Ａ，１２Ｂとからなる複数の小ユニット１０Ａ，１０Ｂに分割された構成となっている。
【００１３】
縁石兼排水溝ユニット１０は、これら小ユニット１０Ａと小ユニット１０Ｂとの間の長さを調整することにより、当該縁石兼排水溝ユニット１０の長手方向の寸法を調整可能となっている。
隙間塞ぎ部材１３は、縁石兼排水溝ユニット１０の長手方向の寸法を調整した結果、小ユニット１０Ａと小ユニット１０Ｂとの間に形成される隙間を塞ぐ部材である。
【００１４】
次に、縁石兼排水溝ユニット１０の内部構成について説明する。即ち、図３に例示すように、一方の水路部形成部材１１Ａの一端部、つまり水路部形成部材１１Ｂ側の端部には、ガイド部材４１が溶接により固定されている。他方の水路部形成部材１１Ｂの他端部、つまり水路部形成部材１１Ａ側の端部は、ガイド部材４１の一端部、つまり水路部形成部材１１Ａに溶接固定されていない側の端部に載せられている。即ち、水路部形成部材１１Ａと水路部形成部材１１Ｂとの間の長さは、ガイド部材４１の幅寸法、つまり縁石兼排水溝ユニット１０の長手方向に沿う寸法の範囲内で適宜調整可能となっている。
【００１５】
また、水路部形成部材１１Ａ，１１Ｂの内側面部２１には、外側面部２２側である内側に突出する複数の突出部２３が設けられている。突出部２３は、内側面部２１の上部において縁石兼排水溝ユニット１０の長手方向に沿って並んでおり、且つ、内側に向かって直線状に延びている。
【００１６】
一方、水路部形成部材１１Ａ，１１Ｂの外側面部２２には、内側面部２１側である内側に突出する複数の第１突出部２４が設けられている。第１突出部２４は、外側面部２２の上部において縁石兼排水溝ユニット１０の長手方向に沿って並んでおり、且つ、内側に向かって直線状に延びている。さらに、水路部形成部材１１Ａ，１１Ｂの外側面部２２には、内側面部２１側である内側に突出する第２突出部２５が設けられている。第２突出部２５は、水路部形成部材１１Ａ，１１Ｂの長手方向の一端部、この場合、他方の水路部形成部材側となる端部に設けられており、且つ、内側に向かって直線状に延びている。
【００１７】
また、水路部形成部材１１Ａ，１１Ｂの外側面部２２には、内側面部２１側である内側に突出する複数の第３突出部２６が設けられている。第３突出部２６は、第１突出部２４の間であって、且つ、第１突出部２４よりも若干低い位置において縁石兼排水溝ユニット１０の長手方向に沿って並んでおり、且つ、内側に向かって上方に湾曲するように延びている。また、水路部形成部材１１Ａ，１１Ｂの外側面部２２には、内側面部２１側である内側に突出する第４突出部２７が設けられている。第４突出部２７は、水平面部２７ａと垂直面部２７ｂとを有し、第３突出部２６よりも低い位置において内側に突出している。水平面部２７ａと垂直面部２７ｂは、相互に直角に繋がった構成となっている。
【００１８】
カバー部形成部材１２Ａ，１２Ｂの雨水誘導面部３１の内側の端部には、上方に向かって切り欠かれた複数の切欠き部３１ａが設けられている。切欠き部３１ａは、縁石兼排水溝ユニット１０の長手方向に沿って並んでいる。
一方、カバー部形成部材１２Ａ，１２Ｂの立設面部３２の外側の端部には、下方に向かって折り曲げられた折り曲げ部３４が設けられている。そして、この折り曲げ部３４には、複数の溝部３５が設けられている。溝部３５は、縁石兼排水溝ユニット１０の長手方向に沿って並んでいる。また、溝部３５は、カバー部形成部材１２Ａ，１２Ｂの長手方向に沿って隙間塞ぎ部材１３側とは反対側に向かって延びている。また、溝部３５は、水路部形成部材１１Ａ，１１Ｂの第１突出部２４が突出する方向に対して直交する方向に延びている。また、カバー部形成部材１２Ａ，１２Ｂの立設面部３２の内面には、折り曲げ部３４側に突出する仕切り部３６が設けられている。仕切り部３６は、上下方向に延びる板状に形成されている。
【００１９】
隙間塞ぎ部材１３は、カバー部形成部材１２Ａ，１２Ｂの雨水誘導面部３１間に形成される隙間を塞ぐ第１塞ぎ部５１と、カバー部形成部材１２Ａ，１２Ｂの立設面部３２間に形成される隙間を塞ぐ第２塞ぎ部５２とを備える。第１塞ぎ部５１の内側の端部には、下方に延びる延出部５３が設けられており、この延出部５３の下部には、上方に切り欠かれた切欠き部５３ａが設けられている。また、第２塞ぎ部５２の内面には、内方に突出する複数の仕切り板５４が設けられている。この隙間塞ぎ部材１３の幅寸法、つまり縁石兼排水溝ユニット１０の長手方向に沿う寸法は、少なくとも、ガイド部材４１の幅寸法、つまり縁石兼排水溝ユニット１０の長手方向に沿う寸法よりも長くなっている。そのため、縁石兼排水溝ユニット１０が組み立てられた状態では、隙間塞ぎ部材１３の両端部は、それぞれカバー部形成部材１２Ａ，１２Ｂの端部により覆われるようになっている。
【００２０】
次に、縁石兼排水溝ユニット１０を組み立てる際の手順の一例を説明する。即ち、まず、必要な縁石兼排水溝ユニット１０の長手方向の寸法に応じて、水路部形成部材１１Ａ，１１Ｂ間の距離を調整する。そして、水路部形成部材１１Ａ，１１Ｂ間に、つまりガイド部材４１の上方に、隙間塞ぎ部材１３を設置する。そして、水路部形成部材１１Ａ，１１Ｂに、それぞれカバー部形成部材１２Ａ，１２Ｂを取り付ける。これにより、小ユニット１０Ａ，１０Ｂ間の隙間が隙間塞ぎ部材１３により塞がれた縁石兼排水溝ユニット１０が組み立てられる。
【００２１】
カバー部形成部材１２Ａ，１２Ｂを水路部形成部材１１Ａ，１１Ｂに取り付ける際には、カバー部形成部材１２Ａ，１２Ｂの溝部３５に水路部形成部材１１Ａ，１１Ｂの第１突出部２４を沿わせるようにして、カバー部形成部材１２Ａ，１２Ｂを、それぞれ隙間塞ぎ部材１３側に向かってスライドさせる。これにより、カバー部形成部材１２Ａ，１２Ｂの溝部３５の最奥部に水路部形成部材１１Ａ，１１Ｂの第１突出部２４が挿入され、カバー部形成部材１２Ａ，１２Ｂが、それぞれ水路部形成部材１１Ａ，１１Ｂに固定される。
【００２２】
このとき、カバー部形成部材１２Ａ，１２Ｂの切欠き部３１ａは、水路部形成部材１１Ａ，１１Ｂの突出部２３に載置される。また、カバー部形成部材１２Ａ，１２Ｂの折り曲げ部３４の端部は、水路部形成部材１１Ａ，１１Ｂの第２突出部２５に載置される。これにより、カバー部形成部材１２Ａ，１２Ｂが水路部形成部材１１Ａ，１１Ｂの所定位置に取り付けられた状態が安定的に維持される。
【００２３】
本実施形態に係る縁石兼排水溝ユニット１０によれば、複数の水路部形成部材１１Ａ，１１Ｂにより形成される水路部１１と、これら水路部形成部材１１Ａ，１１Ｂにそれぞれ取り付けられる複数のカバー部形成部材１２Ａ，１２Ｂにより形成されるカバー部１２と、一対の水路部形成部材１１Ａ，１１Ｂとカバー部形成部材１２Ａ，１２Ｂとからなる複数の小ユニット１０Ａ，１０Ｂの間に形成される隙間を塞ぐ隙間塞ぎ部材１３とを備える。
この構成によれば、縁石兼排水溝ユニット１０の長手方向の寸法を調整する際に小ユニット１０Ａ，１０Ｂ間に形成する隙間の長さを異ならせた場合であっても、その隙間を、共通の隙間塞ぎ部材１３により塞ぐことができるので、隙間の長さに応じた溶接用の部材を用意する必要がない。従って、縁石兼排水溝ユニット１０の長手方向の寸法の調整の自由度を高めることができる。
【００２４】
また、本実施形態に係る縁石兼排水溝ユニット１０によれば、隙間塞ぎ部材１３の両端部は、それぞれカバー部形成部材１２Ａ，１２Ｂにより覆われている。この構成によれば、隙間塞ぎ部材１３とカバー部形成部材１２Ａ，１２Ｂとが重なる部分を設けることができ、小ユニット１０Ａ，１０Ｂ間の隙間部分の強度を高めることができる。
また、本実施形態に係る縁石兼排水溝ユニット１０によれば、水路部形成部材１１Ａの端部に、他の水路部形成部材１１Ｂの端部をガイドするガイド部材４１が設けられている。この構成によれば、水路部形成部材１１Ｂを水路部形成部材１１Ａに対してスライドさせながら水路部形成部材１１Ａ，１１Ｂ間の長さを調整することができ、その調整作業を円滑に行うことができる。また、水路部形成部材１１Ａ，１１Ｂ間に形成される隙間をガイド部材４１により確実に補うことができる。
【００２５】
また、本実施形態に係る縁石兼排水溝ユニット１０によれば、水路部形成部材１１Ａ，１１Ｂは、内側に突出する第１突出部２４を有する。一方、カバー部形成部材１２Ａ，１２Ｂは、第１突出部２４が突出する方向に対して直交する方向に延びる溝部３５を有する。そして、縁石兼排水溝ユニット１０は、カバー部形成部材１２Ａ，１２Ｂの溝部３５に水路部形成部材１１Ａ，１１Ｂの第１突出部２４が挿入されることにより、カバー部形成部材１２Ａ，１２Ｂが水路部形成部材１１Ａ，１１Ｂに固定される構成である。この構成によれば、カバー部形成部材１２Ａ，１２Ｂを水路部形成部材１１Ａ，１１Ｂに、確実に、且つ、強固に取り付けることができる。
【００２６】
また、本実施形態に係る縁石兼排水溝ユニット１０によれば、溝部３５がカバー部形成部材１２Ａ，１２Ｂの長手方向に沿って隙間塞ぎ部材１３側とは反対側に延びている。この構成によれば、カバー部形成部材１２Ａ，１２Ｂを水路部形成部材１１Ａ，１１Ｂに取り付ける際には、カバー部形成部材１２Ａ，１２Ｂを隙間塞ぎ部材１３側に向かってスライドさせることにより、容易に取り付けることができる。また、取付後においては、水路部形成部材１１Ａ，１１Ｂの第１突出部２４がカバー部形成部材１２Ａ，１２Ｂの溝部３５に確実に係止されるので、カバー部形成部材１２Ａ，１２Ｂを水路部形成部材１１Ａ，１１Ｂに、一層確実に、且つ、一層強固に取り付けることができる。
なお、本考案は、上述した一実施形態に限定されるものではなく、その要旨を逸脱しない範囲で変形あるいは拡張することができる。
【符号の説明】
【００２７】
図面中、１０は縁石兼排水溝ユニット、１０Ａ，１０Ｂは小ユニット（ユニット）、１１は水路部、１１Ａ，１１Ｂは水路部形成部材、１２はカバー部、１２Ａ，１２Ｂはカバー部形成部材、１３は隙間塞ぎ部材、２４は第１突出部（突出部）、３５は溝部、４１はガイド部材、を示す。
【図１】
0003193405.tif 000003
【図２】
0003193405.tif 000004
【図３】
0003193405.tif 000005